(57)【要約】【課題】事故を発生した当該室の圧力上昇を短時間で抑制し得る金属閉鎖形スイッチギヤを提供する。【解決手段】箱体１と、箱体１内を仕切板２ａ、２ｂで区切られて形成された複数の室１ａ、１ｂ、１ｃと、箱体１の天井部に設けられた放圧口９ａ、９ｂ、９ｃと、放圧口９ａ、９ｂ、９ｃを塞ぐとともに、箱体１内の圧力上昇時に開放される放圧板１０ａ、１０ｂ、１０ｃと、仕切板２ａ、２ｂに設けられるとともに、隣接する室１ａ−１ｃ、１ｂ−１ｃの空気が流通する空気流通板１１ａ、１１ｂとを備えたことを特徴とする。【選択図】図１
2010183818.tif 000002
【特許請求の範囲】
【請求項１】
箱体と、
前記箱体内を仕切板で区切られて形成された複数の室と、
前記箱体の天井部に設けられた放圧口と、
前記放圧口を塞ぐとともに、前記箱体内の圧力上昇時に開放される放圧板と、
前記仕切板に設けられるとともに、隣接する室の空気が流通する空気流通板と
を備えたことを特徴とする金属閉鎖形スイッチギヤ。
【請求項２】
前記放圧口を隣接する前記室を跨いで設けたことを特徴とする請求項１に記載の金属閉鎖形スイッチギヤ。
【請求項３】
前記空気流通板を網状としたことを特徴とする請求項１または請求項２に記載の金属閉鎖形スイッチギヤ。
【請求項４】
前記空気流通板の面積を前記放圧口よりも大きくしたことを特徴とする請求項１乃至請求項３のいずれか１項に記載の金属閉鎖形スイッチギヤ。
【請求項５】
前記空気流通板を構成する素線を、地絡電流を流し得る電流容量としたことを特徴とする請求項１乃至請求項４のいずれか１項に記載の金属閉鎖形スイッチギヤ。
【発明の詳細な説明】
【技術分野】
【０００１】
本発明は、地絡事故などで上昇した高温ガスを箱体外へ放圧する金属閉鎖形スイッチギヤに関する。
【背景技術】
【０００２】
従来、金属閉鎖形スイッチギヤにおいては、箱体内部で相間短絡や地絡事故などが発生して圧力が上昇すると、箱体天井部に設けた放圧口から外部へ高温ガスを放圧し、箱体が破壊されないようになっている（例えば、特許文献１参照。）。
【０００３】
この種の金属閉鎖形スイッチギヤは、図４に示すように、箱体１内が、図示中間部の第１の仕切板２ａを境として、背面側の受電室１ａと、正面側の遮断器室１ｂとに分かれて構成されている。また、受電室１ａの図示上部には、Ｌ字状の第２の仕切板２ｂで区切られた母線室１ｃが設けられている。なお、遮断器室１ｂの上部には制御室１ｄ、下部には点検室１ｅが設けられている。
【０００４】
受電室１ａには、受電用ケーブル３が接続される主回路導体４が設けられ、第１の仕切板２ａに固定された下部主回路断路部５ａに接続されている。主回路導体４には、変流器６が貫通されている。
【０００５】
遮断器室１ｂには、遮断器７が設けられ、下部主回路が下部主回路断路部５ａに接続される。遮断器７の上部主回路は、第１の仕切板２ａに固定された上部主回路断路部５ｂに接続される。母線室１ｃには、上部主回路断路部５ｂに接続された母線８が設けられ、隣接する盤との接続が行われる。
【０００６】
受電室１ａ、遮断器室１ｂ、母線室１ｃの天井部には、それぞれ第１〜第３の放圧口９ａ、９ｂ、９ｃが設けられ、圧力上昇時に開放する放圧板１０ａ、１０ｂ、１０ｃがそれぞれ設けられている。
【先行技術文献】
【特許文献】
【０００７】
【特許文献１】特開平１０−３２２８１１号公報  （第２〜３ページ、図１２）
【発明の概要】
【発明が解決しようとする課題】
【０００８】
上記の従来の金属閉鎖形スイッチギヤにおいては、次のような問題がある。地絡事故などによって上昇する圧力は、短時間で最大値に達する。放圧口９ａ、９ｂ、９ｃ付近に事故点があれば、直ちに放圧することができるものの、事故点が離れていると、短時間で上昇する圧力を抑えることができず、箱体１や仕切板２ａ、２ｂなどが膨張したり破損することがある。箱体１に損傷を与えると、正面側などの外部へ高温ガスが噴出することになる。
【０００９】
一般的に、地絡事故などが発生すると、当該室のみに止まらず、箱体１内の全室１ａ〜１ｅの点検、清掃、部品交換などが行われる。このため、点検などを行う箱体１内の各室１ａ〜１ｅに高温ガスを封じ込めて圧力上昇を抑え、少なくとも箱体１が損傷して放圧口９ａ、９ｂ、９ｃ以外から高温ガスが放出されないものが望まれていた。
【００１０】
本発明は上記問題を解決するためになされたもので、事故が起きた当該室の圧力上昇を短時間で抑制し得る金属閉鎖形スイッチギヤを提供することを目的とする。
【課題を解決するための手段】
【００１１】
上記目的を達成するために、本発明の金属閉鎖形スイッチギヤは、箱体と、前記箱体内を仕切板で区切られて形成された複数の室と、前記箱体の天井部に設けられた放圧口と、前記放圧口を塞ぐとともに、前記箱体内の圧力上昇時に開放される放圧板と、前記仕切板に設けられるとともに、隣接する室の空気が流通する空気流通板とを備えたことを特徴とする。
【発明の効果】
【００１２】
本発明によれば、各室を区切る仕切板を空気が流通するものとしているので、事故が発生した当該室の高温ガスは隣接する室に拡散され、圧力上昇を速やかに抑えることができる。
【図面の簡単な説明】
【００１３】
【図１】本発明の実施例１に係る金属閉鎖形スイッチギヤの構成を示す側面図。
【図２】本発明の実施例１に係る金属閉鎖形スイッチギヤの仕切板を示す正面図。
【図３】本発明の実施例２に係る金属閉鎖形スイッチギヤの構成を示す側面図。
【図４】従来の金属閉鎖形スイッチギヤの構成を示す側面図。
【発明を実施するための形態】
【００１４】
以下、図面を参照して本発明を実施するための形態について説明する。
【実施例１】
【００１５】
先ず、本発明の実施例１に係る金属閉鎖形スイッチギヤを図１、図２を参照して説明する。図１は、本発明の実施例１に係る金属閉鎖形スイッチギヤの構成を示す側面図、図２は、本発明の実施例１に係る金属閉鎖形スイッチギヤの仕切板を示す正面図である。なお、各図において、従来と同様の構成部分については、同一符号を付した。
【００１６】
図１に示すように、箱体１内は、図示上下方向に設けられた第１の仕切板２ａを境として、背面側の受電室１ａと、正面側の遮断器室１ｂとに分かれて構成されている。また、受電室１ａの図示上部には、Ｌ字状の第２の仕切板２ｂで区切られた母線室１ｃが設けられている。なお、遮断器室１ｂの上部には制御室１ｄ、下部には点検室１ｅが設けられている。
【００１７】
受電室１ａには、受電用ケーブル３が接続される主回路導体４が設けられ、第１の仕切板２ａに貫通固定された下部主回路断路部５ａに接続されている。主回路導体４には、変流器６が貫通されている。
【００１８】
遮断器室１ｂには、真空バルブを備えた遮断器７が設けられ、下部主回路が下部主回路断路部５ａに接続される。遮断器７の上部主回路は、第１の仕切板２ａに貫通固定された上部主回路断路部５ｂに接続される。
【００１９】
母線室１ｃには、上部主回路断路部５ｂに接続された三相分の母線８が設けられている。母線８により、隣接する盤との接続が行われる。
【００２０】
受電室１ａ、遮断器室１ｂ、母線室１ｃの天井部には、それぞれ第１〜第３の放圧口９ａ、９ｂ、９ｃが設けられている。第１〜第３の放圧口９ａ、９ｂ、９ｃには、それぞれ通常時にこれを塞ぎ、圧力上昇時にこれを開放する第１〜第３の放圧板１０ａ、１０ｂ、１０ｃが設けられている。
【００２１】
ここで、図２に示すように、第１の仕切板２ａには、網状の第１の網板１１ａが設けられており、遮断器室１ｂと母線室１ｃとの空気が流通するようになっている。第１の網板１１ａの面積は、第１〜第３の放圧口９ａ、９ｂ、９ｃの面積のそれぞれよりも大きい。また、第１の網板１１ａを構成する素線は、数百Ａの地絡電流に耐え得るような太さである。更に、高温ガスに対して容易に溶損しないように、例えばニッケルやクロム合金からなる耐熱材料からなっている。
【００２２】
また、第２の仕切板２ｂにも、受電室１ａと母線室１ｃとの空気が流通する網状の第２の網板１１ｂが設けられている。第２の網板１１ｂも第１の網板１１ａと同様に、面積が第１〜第３の放圧口９ａ、９ｂ、９ｃよりも大きく、また、素線が地絡電流に耐え得るような太さであり、耐熱材料からなっている。
【００２３】
これにより、例えば、変流器６で地絡事故が発生した場合、第１の放圧板１０ａが動作し、圧力が上昇した高温ガスを第１の放圧口９ａから外部に放出しようとするものの、変流器６から第１の放圧口９ａまでの距離があるので、第１の放圧板１０ａの動作が遅れる。しかしながら、高温ガスは、第２の網板１１ｂを通って、母線室１ｃ内に拡散し、第３の放圧板１０ｃを動作させ、第３の放圧口９ｃからも放出される。圧力上昇が過大な場合には、高温ガスが第１の網板１１ａを通って、第２の放圧板１０ｂを動作させる。
【００２４】
即ち、網板１１ａ、１１ｂにより、主回路を収納した箱体１内の全室１ａ、１ｂ、１ｃに高温ガスが拡散されることになる。そして、放圧口９ａ、９ｂ、９ｃよりも網板１１ａ、１１ｂの面積が大きいので、拡散速度は速く、変流器６を収納した受電室１ａの圧力上昇を速やかに抑え込むことができる。このため、短時間での過大な圧力上昇によって、事故の当該室となる受電室１ａの膨張、破損などを防ぐことができ、高温ガスが箱体１外へ噴出することを抑えることができる。
【００２５】
また、この種の金属閉鎖形スイッチギヤは抵抗接地系となっているので、網板１１ａ、１１ｂに地絡電流が流れても、素線が電流容量と耐熱性を有するので、容易に溶損することはない。受電室１ａから母線室１ｃへ高温ガスが流れ込んでも、アーク電流は第２の網板１１ｂを流れるので、母線８などへの事故波及を防止することができる。
【００２６】
なお、復旧においては、事故を起こした受電室１ａ内の点検、清掃、部品交換を行うものの、母線室１ｃや遮断器室１ｂにも高温ガスが拡散するので、必要に応じ、受電室１ａと同様の点検を行うものとする。
【００２７】
上記実施例１の金属閉鎖形スイッチギヤによれば、遮断器室１ｂと母線室１ｃを区切る第１の仕切板２ａに空気が流通する第１の網板１１ａを設け、また受電室１ａと母線室１ｃを区切る第２の仕切板２ｂにも空気が流通する第２の網板１１ｂを設けているので、事故が発生した当該室の高温ガスは隣接する各室１ａ、１ｂ、１ｃに拡散され、圧力上昇を抑えることができる。また、所定値以上の圧力上昇が伴えば、それぞれの放圧板１０ａ、１０ｂ、１０ｃが動作し、箱体１内の圧力上昇を速やかに抑制することができる。
【００２８】
上記実施例１では、各室１ａ、１ｂ、１ｃの空気の流通を網状の網板１１ａ、１１ｂで説明したが、格子状、簾状、蜂の巣状など空気を流通させるものなら用いることができる。これらを各室１ａ、１ｂ、１ｃを区切る仕切板２ａ、２ｂに設けられた隣接する室の空気が流通する空気流通板と称する。
【実施例２】
【００２９】
次に、本発明の実施例２に係る金属閉鎖形スイッチギヤを図３を参照して説明する。図３は、本発明の実施例２に係る金属閉鎖形スイッチギヤの構成を示す側面図である。なお、この実施例２が実施例１と異なる点は、放圧口の取付け位置である。図３において、実施例１と同様の構成部分においては、同一符号を付し、その詳細な説明を省略する。
【００３０】
図３に示すように、箱体１の天井部には、遮断器室１ｂと母線室１ｃを跨ぎ、第１の仕切板２ａが略中央部に位置する第４の放圧口９ｄが設けられている。第４の放圧口９ｄには、遮断器室１ｂや母線室１ｃの圧力上昇時に開放する第４の放圧板１０ｄが設けられている。地絡事故などは、全室１ａ、１ｂ、１ｃ同時に起こることが極めて少ないので、第４の放圧口９ｄの面積は第１の網板１１ａ、および第２の網板１１ｂよりも小さくてもよい。
【００３１】
これにより、高温ガスは、受電室１ａの地絡事故では第２の網板１１ｂを通って第４の放圧口９ｄから放出され、また、遮断器室１ｂと母線室１ｃでは直接第４の放圧口９ｄから放出される。
【００３２】
上記実施例２の金属閉鎖形スイッチギヤによれば、実施例１による効果のほかに、受電室１ａ、遮断器室１ｂ、母線室１ｃの放圧を第４の放圧口９ｄから行うことができ、部品点数を削減することができる。
【符号の説明】
【００３３】
１  箱体
１ａ  受電室
１ｂ  遮断器室
１ｃ  母線室
１ｄ  制御室
１ｅ  点検室
２ａ  第１の仕切板
２ｂ  第２の仕切板
３  受電用ケーブル
４  主回路導体
５ａ、５ｂ  主回路断路部
６  変流器
７  遮断器
８  母線
９ａ  第１の放圧口
９ｂ  第２の放圧口
９ｃ  第３の放圧口
９ｄ  第４の放圧口
１０ａ  第１の放圧板
１０ｂ  第２の放圧板
１０ｃ  第３の放圧板
１０ｄ  第４の放圧板
１１ａ  第１の網板
１１ｂ  第２の網板
【図１】
2010183818.tif 000003
【図２】
2010183818.tif 000004
【図３】
2010183818.tif 000005
【図４】
2010183818.tif 000006